(57)【要約】【課題】特許文献１の神仏具は、故人に関する情報を、記憶手段、すなわち神仏具自体に記憶させる為、神仏具が自然災害等により大きな被害を蒙ると、（例えば津波で神仏具が流されてしまうと）、故人に関する情報も失われてしまうという課題があった。【解決手段】墓参システムは、神仏具と電子装置が接続された墓参システムであって、前記電子装置は、神仏具に対応する識別子が付与されたコンテンツデータを少なくとも１つ記憶し、神仏具を示す信号が入力されると、前記信号が示す前記神仏具に対応する識別子が付与された前記コンテンツデータを出力する電子装置であり、前記神仏具は、コンテンツデータが入力されると、前記コンテンツデータを、映像として、自身に備わる画面に表示する神仏具である。【選択図】      図９
2014231714.tif 000002
【特許請求の範囲】
【請求項１】
神仏具に対応する識別子が付与されたコンテンツデータを少なくとも１つ記憶し、神仏具を示す信号が入力されると、前記信号が示す前記神仏具に対応する識別子が付与された前記コンテンツデータを出力する、
ことを特徴とする電子装置。
【請求項２】
コンテンツデータが入力されると、前記コンテンツデータを、映像として、自身に備わる表示手段に表示する、
ことを特徴とする神仏具。
【請求項３】
前記コンテンツデータに、自身に対応する識別子が付与されている場合に、前記コンテンツデータを、映像として、自身に備わる表示手段に表示する、
ことを特徴とする請求項２に記載の神仏具。
【請求項４】
墓参者が自身に訪れたことを感知するセンサを備え、
前記墓参者が自身に訪れたことを前記センサが感知すると、前記表示手段を起動する、
ことを特徴とする請求項２乃至３のいずれか１項に記載の神仏具。
【請求項５】
通信手段を備え、
前記墓参者が自身に訪れたことを前記センサが感知した場合に前記通信手段を起動し、前記通信手段を介して自身を示す信号を出力する、
ことを特徴とする請求項４に記載の神仏具。
【請求項６】
太陽光パネル、若しくは風力発電機を備え、
前記太陽光パネル、若しくは風力発電機で発電した電気で動作する、
ことを特徴とする請求項２乃至５のいずれか１項に記載の神仏具。
【請求項７】
所定レベル以上の前記無線信号を一定時間、受信しないときは、自身に備わる記憶媒体の前記コンテンツデータを、映像として、自身に備わる表示手段に表示する、
ことを特徴とする請求項２乃至６のいずれか１項に記載の神仏具。
【請求項８】
前記神仏具は、墓、仏壇、供養塔、卒塔婆のいずれかである、
ことを特徴とする請求項２乃至７のいずれか１項に記載の神仏具。
【請求項９】
神仏具と電子装置が接続された墓参システムであって、
前記電子装置は、請求項１に記載の電子装置であり、
前記神仏具は、請求項２乃至８のいずれか１項に記載の神仏具である、
ことを特徴とする墓参システム。
【請求項１０】
神仏具に対応する識別子が付与されたコンテンツデータを少なくとも１つ記憶し、神仏具を示す信号が入力されると、前記信号が示す前記神仏具に対応する識別子が付与された前記コンテンツデータを出力するステップと、
前記コンテンツデータが入力されると、前記コンテンツデータを、映像として、自身に備わる表示手段に表示するステップと、を備える、
ことを特徴とする映像表示方法。
【発明の詳細な説明】
【技術分野】
【０００１】
本発明は、神仏具、電子装置、墓参システム、映像表示方法に関し、特に、故人やペットの映像を神仏具の表示手段に表示する神仏具、電子装置、墓参システム、映像表示方法に関する。
【背景技術】
【０００２】
一般的に、表示手段を備える墓等の神仏具が知られている。表示手段を備える一般的な神仏具は、故人やペットの生前の映像を表示手段に表示し、その映像を見た礼拝者は、故人やペットの生前の元気な姿を思い出し、故人やペットを深く偲ぶことができる。表示装置を備える一般的な神仏具としては、以下の特許文献１が開示されている。
【０００３】
特許文献１の神仏具は、故人の霊等を祀るための神仏具本体と、表示装置とを備える。表示装置は、神仏具本体の所定位置に配置され、表示手段と、識別手段と、制御手段と、記憶手段を備える。識別手段は、キー、カードリーダー、センサカメラのいずれかを用いて礼拝者を識別する。制御手段は、識別手段で識別された礼拝者に応じて、記憶手段に記憶されている故人に関する情報を表示手段に表示させる。
【０００４】
特許文献１の神仏具は、例えば、以下の通りに動作する。
【０００５】
まず、礼拝者は、表示装置に備わるキーを操作して、パスワードを入力する。特許文献１の神仏具の識別手段は、入力されたパスワードに基づいて礼拝者を識別する。特許文献１の神仏具の制御手段は、識別手段で識別された礼拝者に応じて、記憶手段に記憶されている故人に関する情報を表示手段に表示させる。
【０００６】
上述の構成や動作の通り、特許文献１の神仏具は、礼拝者が礼拝する際に、故人に関する情報を表示手段に表示することができる。その結果、礼拝者は、故人に関する情報を見ながら礼拝でき、故人を偲ぶことができる。
【先行技術文献】
【特許文献】
【０００７】
【特許文献１】特開２００４−２８５６０９号公報
【発明の概要】
【発明が解決しようとする課題】
【０００８】
しかし、特許文献１の神仏具は、故人に関する情報を記憶手段、すなわち神仏具自体に記憶させる為、神仏具が自然災害等により大きな被害を蒙ると、（例えば津波で神仏具が流されてしまうと）、故人に関する情報も失われてしまうという課題があった。その結果、特許文献１の神仏具では、故人に関する情報は、時間が経てば経つほど紛失等の憂き目に遭う可能性が高くなり、礼拝者が、いつまでも故人に偲ぶことができるとは限らないという課題もあった。
【０００９】
本発明は、上記課題を解決する神仏具、電子装置、墓参システム、映像表示方法を提供することを目的とする。
【課題を解決するための手段】
【００１０】
上記目的を達成するために、本発明の電子装置は、神仏具に対応する識別子が付与されたコンテンツデータを少なくとも１つ記憶し、神仏具を示す信号が入力されると、前記信号が示す前記神仏具に対応する識別子が付与された前記コンテンツデータを出力する。
【００１１】
上記目的を達成するために、本発明の神仏具は、コンテンツデータが入力されると、前記コンテンツデータを、映像として、自身に備わる表示手段に表示する。
【００１２】
上記目的を達成するために、墓参システムは、神仏具と電子装置が接続された墓参システムであって、前記電子装置は、神仏具に対応する識別子が付与されたコンテンツデータを少なくとも１つ記憶し、神仏具を示す信号が入力されると、前記信号が示す前記神仏具に対応する識別子が付与された前記コンテンツデータを出力する電子装置であり、前記神仏具は、コンテンツデータが入力されると、前記コンテンツデータを、映像として、自身に備わる画面に表示する神仏具である。
【００１３】
上記目的を達成するために、本発明の映像表示方法は、神仏具に対応する識別子が付与されたコンテンツデータを少なくとも１つ記憶し、神仏具を示す信号が入力されると、前記信号が示す前記神仏具に対応する識別子が付与された前記コンテンツデータを出力するステップと、前記コンテンツデータが入力されると、前記コンテンツデータを、映像として、自身に備わる表示手段に表示するステップと、を備える。
【発明の効果】
【００１４】
本発明によれば、墓参システムは、システムを構成する神仏具が自然災害等により大きな被害を蒙っても、故人に関する情報を失わず、墓参者が故人をいつまでも偲ぶことができる。
【図面の簡単な説明】
【００１５】
【図１】本発明の第１の実施の形態における墓参システムの構成例を示す図である。
【図２】本発明の第１の実施の形態における墓参システムに備わる墓の構成例を示す図である。
【図３】本発明の第１の実施の形態における墓参システムの動作を説明する為の図である。
【図４】本発明の第２の実施の形態における墓参システムに備わる墓の構成例を示す図である。
【図５】本発明の第２の実施の形態における墓参システムに備わる墓１００の動作を説明する為の図である。
【図６】本発明の第３の実施の形態における墓参システムの構成例を示す図である。
【図７】本発明の第３の実施の形態における墓参システムに備わる墓の構成例を示す図である。
【図８】本発明の第３の実施の形態における墓参システムの動作を説明する為の図である。
【図９】本発明の第４の実施の形態における墓参システムの構成例を示す図である。
【発明を実施するための形態】
【００１６】
次に本発明の実施形態について、図面を参照して詳細に説明する。
【００１７】
［第１の実施の形態］
（１）第１の実施の形態における墓参システムの概要
本発明の第１の実施の形態における墓参システムは、墓とサーバを備える。サーバは、墓を管理する団体・宗教法人によって管理され、所定の信号が入力されると、記憶する故人やペットに関する情報を、無線で墓に通知する。墓は、通知された故人やペットに関する情報を、自身に備わるモニタ画面に表示する。
【００１８】
本発明の第１の実施の形態における墓参システムは、故人の情報が墓自体に保存されていないので、墓が自然災害等により大きな被害を蒙ったとしても、故人の情報が失われないようにすることができる。また、本実施形態の墓参システムは、特許文献１の神仏具と同様、墓が、モニタ画面に故人の情報を表示するので、墓参者は、深く故人を偲ぶことができる。
【００１９】
以下、本発明の第１の実施の形態における墓参システムについて、その構成や機能について、詳細を説明する。図１は、本発明の第１の実施の形態における墓参システムの構成例を示す図である。
【００２０】
［構成の説明］
（１）第１の実施の形態における墓参システムの構成と機能
本実施形態の墓参システムは、図１に示されるように、サーバ１と墓２、３、４、５を備える。さらに、本実施形態の墓参システムは、サーバ１に接続された送信機６を備える。送信機６は、墓２、３、４、５と無線回線で接続される。
【００２１】
サーバ１は、墓を管理する団体・宗教法人によって管理される。墓を管理する団体・宗教法人は、サーバ１が自然災害等によって被害を蒙らないよう、サーバ１を、自然災害等の影響が少ない場所にある頑丈な建築物（例えば、高台にある霊園の管理室や寺院、墓から遠く離れたビルの一室）に設置してもよい。また、サーバ１には、墓を管理する団体・宗教法人によって、故人やペットの情報が保存される。故人やペットの情報は、映像や音楽、文字を含むコンテンツデータである。故人やペットの情報は、例えば、故人やペットの生前の映像、生い立ち、家系図、さらに業績等を纏めたプロフィールビデオであってもよい。さらに、故人やペットの情報、すなわちコンテンツデータは、墓を管理する団体・宗教法人によって、所定の墓の番号を示す識別子が付与される。サーバ１は、所定の墓を示す信号が入力されると、保存しているコンテンツデータのうち、所定の墓を示す識別子が付与されたコンテンツデータを出力する。
【００２２】
なお、墓を管理する団体・宗教法人は、故人やペットの情報が失われないようにする為に、サーバ１にミラーサーバを複数台接続することもできる。この場合、ミラーサーバは、サーバ１が故障したときには、サーバ１として動作する。墓を管理する団体・宗教法人は、サーバ１やミラーサーバを、墓２、３、４、５からなるたけ遠く離れた場所にばらばらに設置することが好ましい。
【００２３】
送信機６は、一般的な無線通信機能を有する。すなわち、送信機６は、入力されたデータを無線信号として出力する。なお、送信機６は、無線信号として出力する際、所定の送信レベルで出力する。所定の送信レベルは、墓を管理する団体・宗教法人によって設定されるが、墓を管理する団体・宗教法人は、管理する霊園や墓地に届くと想定されるレベルを設定する。
【００２４】
墓２、３、４、５は、墓を管理する団体・宗教法人が管理する霊園や墓地に設置される。以下に墓２、３、４、５の構成や機能について説明する。図２は、本発明の第１の実施の形態における墓参システムに備わる墓の構成例を示す図である。
【００２５】
（２）本発明の第１の実施の形態における墓参システムに備わる墓の構成と機能
本実施形態の墓参システムに備わる墓２、３、４、５は、図２に示されるように、墓石１１と、無線機能部１２と、センサ１３と、モニタ画面１４と、太陽光パネル１５と、蓄電池１６とを備える。
【００２６】
無線機能部１２は、図２に示されるように、モニタ画面１４に接続される。また、無線機能部１２は、図示していないが、センサ１３に接続される。さらに、太陽光パネル１５は、墓石１１の側面に備えられ、蓄電池１６に接続される。また、蓄電池１６は、図示していないが、無線機能部１２、センサ１３、およびモニタ画面１４に接続される。
【００２７】
無線機能部１２は、一般的な無線通信機能を有する。無線機能部１２は、起動すると、一般的な無線通信機能によって、無線信号を受信する。無線機能部１２は、受信した無線信号が所定レベル以上の無線信号かを判定する。無線機能部１２は、受信した無線信号が所定レベル以上の場合、一般的な無線通信機能によって、受信した無線信号から受信データを取り出す。無線機能部１２は、受信データを取り出すと、その受信データが自分宛のコンテンツデータかを判定する。具体的には、無線機能部１２は、取り出した受信データに、自身に対応する所定の識別子が付与されているかを判定する。自身に対応する所定の識別子は、本実施形態の墓の管理者によって、無線機能部１２に設定される。無線機能部１２は、取得したコンテンツデータに、自身に対応する所定の識別子が付与されている場合、自分宛のコンテンツデータと認識し、そのコンテンツデータをモニタ画面１４に出力する。なお、墓２、３、４、５の無線機能部１２は、取得したデータに、自身に対応する所定の識別子が付与されていない場合、再度、無線信号を受信し、受信した無線信号が所定レベル以上かを判定する。判定後の動作は、上述した通りである。
【００２８】
センサ１３は、墓参者が墓を訪れたことを感知するセンサである。例えば、センサ１３は、（墓参者が墓を訪れた際にあげる）お線香の熱や煙を感知するセンサであってもよい。センサ１３は、墓参者が墓を訪れたことを感知すると、モニタＯＮを指示する信号を出力する。
【００２９】
モニタ画面１４は、表示手段を備える。モニタ画面１４は、入力されるコンテンツデータを記憶する。モニタ画面１４は、モニタＯＮを指示する信号が入力されると、上述の表示手段（以下、「モニタ」という）を起動する。モニタ画面１４は、モニタが起動した後、記憶したデータを、映像としてモニタに表示する。また、モニタ画面１４は、スピーカー等の一般的な音声出力手段を備え、入力されるデータに音声データが含まれる場合には、音声データを音声として出力する。なお、モニタ画面１４は、できるだけ省電力薄型のものが好ましい。
【００３０】
太陽光パネル１５は、一般的な太陽光パネルであり、太陽光を電気に変換し、出力する。なお、太陽光パネル１５は、本実施形態では、墓石１１の側面に備えられているとするが、この限りではない。たとえば、太陽光パネル１５は、墓石１１の上面に備えられていてもよい。
【００３１】
蓄電池１６は、一般的な蓄電池であり、入力される電気を自身に蓄える。蓄電池１６は、蓄えている電気を各部位に供給する。すなわち、墓２、３、４、５の各部位は、商用電源から電気が供給されなくても動作できるようになっている。なお、蓄電池６は、大容量小型のものが好ましい。
【００３２】
［動作の説明］
図３は、本発明の第１の実施の形態における墓参システムの動作を説明する為の図である。図３を用いて、以下、本実施形態の墓参システムの動作について説明をおこなう。
【００３３】
（１）サーバ１の事前設定
まず、墓を管理する団体・宗教法人は、サーバ１に、故人やペットの情報を保存する。故人やペットの情報は、映像や音楽、文字を含むコンテンツデータである。故人やペットの情報は、例えば、故人やペットの生前の映像、生い立ち、家系図、さらに業績等を纏めたプロフィールビデオであってもよい。故人やペットの情報は、故人（自分の生きた証を残したい者）、若しくは、飼っているペットの記録を残したい者によって、その生前に作成されてもよい。故人や飼っているペットの記録を残したい者は、生前、生成した故人やペットの情報を、墓を管理する団体・宗教法人に渡しておく。
【００３４】
なお、墓を管理する団体・宗教法人は、故人やペットの情報に、故人やペットの墓を示す識別子を付与してサーバ１に保存する。さらに、墓を管理する団体・宗教法人は、サーバ１にミラーサーバを接続する場合には、ミラーサーバにも故人やペットの情報を、故人やペットの墓を示す識別子を付与して保存する。サーバ１が故障したときには、ミラーサーバが、サーバ１として動作できるようにする為である。
【００３５】
（２）本実施形態の墓参システムの動作
次に、墓参者が墓参しに、霊園や寺社を訪れたとする。その際、墓参者は、霊園の管理室や寺社の受付で、故人やペットの墓に墓参する旨を、墓を管理する団体・宗教法人に申し出る。
【００３６】
次に、墓を管理する団体・宗教法人は、墓参の申出があったとき、サーバ１に、墓参先の墓を示す信号を入力する。このとき、サーバ１に接続されるキーボードは、所定のボタンが押下されると、墓参先の墓を示す信号を出力するものであってもよい。墓を管理する団体・宗教法人は、所定のボタンを押下することで、サーバ１に、墓参先の墓を示す信号を入力することができる。
【００３７】
次に、サーバ１は、墓参先の墓を示す信号が入力されると、保存しているコンテンツデータのうち、墓参先の墓を示す識別子が付与されたコンテンツデータを、送信機６に出力する。
【００３８】
ここでは、墓参先の墓が墓４であり、墓４を示す識別子が付与されたコンテンツデータが送信機６に出力されたものとして説明を進める。
【００３９】
送信機６は、墓参先の墓４を示す識別子が付与されたコンテンツデータが入力されると、そのデータを、無線信号として発信する。なお、送信機６は、無線信号として発信する際、所定の送信レベルで発信する。所定の送信レベルは、墓を管理する団体・宗教法人によって設定されるが、墓を管理する団体・宗教法人は、管理する霊園や墓地に届くと想定されるレベルを設定する。
【００４０】
次に、墓２、３、４、５の無線機能部１２は、起動すると、図３に示されるように、無線信号を受信する（Ｓ１）。
【００４１】
次に、墓２、３、４、５の無線機能部１２は、受信した無線信号が所定レベル以上の無線信号かを判定する（Ｓ２）。
【００４２】
次に、墓２、３、４、５の無線機能部１２は、受信した無線信号が所定レベル以上の場合（Ｓ２でＹｅｓの場合）、一般的な無線通信機能によって、受信した無線信号から受信データを取り出す（Ｓ３）。
【００４３】
次に、墓２、３、４、５の無線機能部１２は、受信データを取り出すと、その受信データが自分宛のコンテンツデータかを判定する（Ｓ４）。具体的には、墓２、３、４、５の無線機能部１２は、取り出した受信データに、自身に対応する所定の識別子が付与されているかを判定する。自身に対応する所定の識別子は、本実施形態の墓の管理者によって、無線機能部１２に設定される。
【００４４】
墓２、３、４、５の無線機能部１２は、取り出した受信データに、自身に対応する所定の識別子が付与されている場合（Ｓ４でＹｅｓの場合）、自分宛のコンテンツデータと認識し、そのコンテンツデータをモニタ画面１４に出力する（Ｓ５）。
【００４５】
ここでは、墓参先である墓４の無線機能部１２が、受信データを自分宛のコンテンツデータと認識し、そのコンテンツデータをモニタ画面１４に出力したものとして説明を続ける。なお、墓２、３、４、５の無線機能部１２は、取得したデータに、自身に対応する所定の識別子が付与されていない場合（Ｓ４でＮｏの場合）、Ｓ１に戻り、無線信号を受信する。また、墓２、３、４、５の無線機能部１２は、図示していないが、Ｓ５を実施した後もＳ１に戻り、再度、無線信号を受信する。
【００４６】
次に、墓４のモニタ画面１４は、無線機能部１２から入力されるコンテンツデータを記憶する（Ｓ６）。
【００４７】
次に、墓４のセンサ１３は、墓参者が墓４を訪れたことを感知する（Ｓ７）。墓４のセンサ１３は、墓参者が墓４を訪れた際にあげるお線香の熱や煙を感知することで、墓参者が墓４を訪れたことを感知してもよい。
【００４８】
次に、墓４のセンサ１３は、墓参者が墓４を訪れたことを感知すると、モニタＯＮを指示する信号をモニタ画面１４に出力する（Ｓ８）。
【００４９】
次に、墓４のモニタ画面１４は、モニタＯＮを指示する信号がセンサ１３から入力されると、自身に備わる表示手段（以下、「モニタ」という）を起動する（Ｓ９）。
【００５０】
次に、墓４のモニタ画面１４は、モニタが起動した後、Ｓ６で記憶したコンテンツデータを、映像としてモニタに表示する（Ｓ１０）。なお、モニタ画面１４は、コンテンツデータに音声データが含まれる場合には、音声データを音声として出力する。
【００５１】
墓参者は、故人やペットに関する映像を見ながら墓参し、故人やペットを偲ぶことができる。
【００５２】
なお、墓４のモニタ画面１４は、記憶するコンテンツデータを、所定の回数繰り返し、モニタに表示してもよい。墓参者は、故人やペットに関する映像を何度も見ることができ、故人やペットを長時間偲ぶことができる。所定の回数は、本実施形態の墓の管理者によって設定される。墓４のモニタ画面１４は、所定の回数、コンテンツデータをモニタに表示した後、モニタを停止してもよい。
【００５３】
さらに、墓４のモニタ画面１４は、コンテンツデータが入力されたことを契機として、モニタを起動し、入力されたコンテンツデータを、映像としてモニタに表示してもよい。
【００５４】
また、本実施形態の墓参システムに備わる墓２、３、４、５は、太陽光パネル１５によって、太陽光を電気に変換し、蓄電池１６に電気を蓄える。墓２、３、４、５の各部位は、蓄電池１６から電気を供給され、商用電源から電気が供給されなくても動作する。なお、本実施形態の墓参システムは、太陽光パネル１５の代わりに風力発電機を備え、蓄電池１６は、風力発電機が発電した電気を蓄えてもよい。
【００５５】
なお、サーバ１が故障したときには、ミラーサーバが、サーバ１として動作する。
【００５６】
［効果の説明］
本実施形態によれば、墓参システムは、システムを構成する墓が自然災害等により大きな被害を蒙っても、故人やペットの情報を失わず、墓参者が故人やペットをいつまでも偲ぶことができる。
【００５７】
その理由として、墓参システムは、故人やペットの情報を野外の墓ではなく、頑丈な建物内に設置されたサーバに保存でき、墓参者が墓参するときに、サーバが、故人やペットの情報を墓に送信し、墓が故人やペットの情報を受信して表示手段に表示するからである。
【００５８】
また、本実施形態の墓参システムの墓は、太陽光や風力による電力で動作し、商用電源を必要としないので、商用電源を設置する費用が不要となる。
【００５９】
本実施形態の墓参システムの墓は、墓参者が墓参したときだけ、モニタ画面が起動するので、消費電力を抑えることができる。
【００６０】
さらに、本実施形態の墓参システムは、故人の情報が、墓を管理する団体・宗教法人によって管理される限り、故人の生きた証を長い年月残すことができる。
【００６１】
［第２の実施の形態］
次に、本発明の第２の実施の形態について説明する。
【００６２】
ペットの埋葬に関しては、飼い主の自宅の庭などで行うことも多い。第２の実施の形態の墓参システムに備わる墓は、所定以上の受信レベルの無線信号を一定時間取得できなかった場合、自分が霊園や墓地以外の場所、例えば自宅の庭に設置されていると認識し、自身に備わる記憶媒体のデータを画面に表示するものである。以下、本実施形態の墓参システムに備わる墓の構成や機能について説明する。
【００６３】
［構成の説明］
図４は、本発明の第２の実施の形態における墓参システムに備わる墓の構成例を示す図である。本実施形態における墓参システムに備わる墓１００（以下、「本実施形態の墓１００」という）は、図４に示されるように、無線機能部１２の代わりに、無線機能部１１２を備える。また、本実施形態の墓１００は、記憶媒体再生機能部１１７を備える。記憶媒体再生機能部１１７は、無線機能部１１２と、モニタ画面１４に接続される。
【００６４】
無線機能部１１２は、受信した無線信号が所定レベル以上でないと判定した場合には、送信機６から無線信号を受信していない回数（以下、「未受信回数」という）を１つカウントアップする。未受信回数の初期値は０である。無線機能部１１２は、受信した無線信号が所定レベル以上であると判定した場合には、未受信回数を、初期値０とする。さらに、無線機能部１１２は、未受信回数が所定回数以上かを判定する。無線機能部１１２は、未受信回数が所定回数以上である場合、すなわち所定の受信レベル以上の無線信号を一定時間取得できなかった場合、墓１００が霊園や墓地以外の場所に設置されていると認識し、再生指示を示す信号を出力する。なお、無線機能部１１２は、未受信回数が所定回数以上でない場合、無線信号を受信する。
【００６５】
また、記憶媒体再生機能部１１７は、再生指示を示す信号が入力されると、自身に挿入されているＣＤやＤＶＤ、Ｂｌｕ−ｒａｙ  Ｄｉｓｃ等の記憶媒体に記憶されるコンテンツデータを取得し、そのデータをモニタ画面１４に出力する。上述のＣＤ（登録商標）は、Ｃｏｍｐａｃｔ  Ｄｉｓｋの略称であり、ＤＶＤ（登録商標）は、Ｄｉｇｉｔａｌ  Ｖｅｒｓａｔｉｌｅ  Ｄｉｓｋの略称である。上述のＣＤやＤＶＤ、Ｂｌｕ−ｒａｙ  Ｄｉｓｃ（登録商標）は、本実施形態の墓１００の所有者によって、記憶媒体再生機能部１１７に挿入される。本実施形態の墓１００の所有者は、ペットの生前の元気な姿をＣＤやＤＶＤ、Ｂｌｕ−ｒａｙ  Ｄｉｓｃに納めた上で、墓１００を設置する際に、それらを記憶媒体再生機能部１１７に挿入しておく。
【００６６】
なお、上述した以外の構成や機能は、第１の実施の形態のおける墓参システムに備わる墓と同じであるので、同一の符号を付して説明を省略する。
【００６７】
［動作の説明］
図５は、本発明の第２の実施の形態における墓参システムに備わる墓１００の動作を説明する為の図である。図５を用いて、本実施形態の墓１００の動作を説明する。
【００６８】
まず、本実施形態の墓１００の無線機能部１１２は、上述のＳ１、Ｓ２を実施し、受信した無線信号が所定レベル以上でないと判定した場合（Ｓ２でＮｏの場合）、送信機６から無線信号を受信していない回数、すなわち未受信回数を１つカウントアップする（Ｓ２０）。未受信回数の初期値は０である。
【００６９】
なお、無線機能部１１２は、上述のＳ１、Ｓ２を実施し、受信した無線信号が所定レベル以上であると判定した場合（Ｓ２でＹｅｓの場合）には、未受信回数を、初期値０とする（Ｓ２１）。
【００７０】
次に、無線機能部１１２は、上述のＳ２０を実施すると、未受信回数が所定回数以上かを判定する（Ｓ２２）。
【００７１】
次に、無線機能部１１２は、未受信回数が所定回数以上の場合（Ｓ２２でＹｅｓの場合）、すなわち所定の受信レベル以上の無線信号を一定時間取得できなかった場合、墓１００が霊園や墓地以外に設置されていると認識し、再生指示を示す信号を出力する（Ｓ２３）。
【００７２】
なお、無線機能部１１２は、未受信回数が所定回数以上でない場合（Ｓ２２でＮｏの場合）、上述のＳ１に戻り、無線信号を受信する。
【００７３】
次に、記憶媒体再生機能部１１７は、再生指示を示す信号が無線機能部１１２から入力されると、自身に挿入されているＣＤやＤＶＤ、Ｂｌｕ−ｒａｙ  Ｄｉｓｃ等の記憶媒体に記憶されるコンテンツデータを取得し、そのデータをモニタ画面１４に出力する（Ｓ２４）。
【００７４】
上述のＣＤやＤＶＤ、Ｂｌｕ−ｒａｙ  Ｄｉｓｃは、本実施形態の墓１００の所有者によって、記憶媒体再生機能部１１７に挿入される。本実施形態の墓１００の所有者は、ペットの生前の元気な姿をＣＤやＤＶＤ、Ｂｌｕ−ｒａｙ  Ｄｉｓｃに納め、墓１００を設置する際に、それらを記憶媒体再生機能部１１７に挿入しておく。
【００７５】
その後、墓１００のモニタ画面１４は、記憶媒体再生機能部１１７から入力された再生データを、映像としてモニタに表示する（Ｓ１０）。
【００７６】
その他の動作については、第１の実施の形態の動作と同様である為、詳細の説明を省略する。
【００７７】
なお、本発明は、墓に限定されるものではなく、仏壇や供養塔、卒塔婆等の神仏具であれば、いずれにも適用することができる。
【００７８】
［効果の説明］
本実施形態によれば、墓参システムは、霊園や墓地以外の場所に墓が設置された場合であっても、墓参者がペットや故人を偲ぶことができる。
【００７９】
その理由は、墓参システムに備わる墓が、所定以上の受信レベルの無線信号を一定時間取得できなかった場合、霊園や墓地以外の場所と認識し、自身に備わる記憶媒体のデータ、例えば、ペット等の生前の元気な姿を記録したデータをモニタ画面に表示するからである。特に、ペットの飼い主は、自宅の庭で、ペットの生前の元気な姿を見ながら、ペットを深く偲ぶことができる。
【００８０】
［第３の実施の形態］
次に、本発明の第３の実施の形態について説明する。
【００８１】
本発明の第３の実施の形態における墓参システムは、墓参者が墓を訪れたときだけ墓が起動するシステムである。墓参者が墓を訪れたときだけ墓が起動するので、本発明の第１の実施の形態における墓参システムよりも墓の消費電力を低減することができる。
【００８２】
［構成の説明］
図６は、本発明の第３の実施の形態における墓参システムの構成例を示す図である。また、図７は、本発明の第３の実施の形態における墓参システムに備わる墓の構成例を示す図である。
【００８３】
（１）第３の実施の形態における墓参システムの構成と機能
本実施形態の墓参システムは、図６に示されるように、サーバ１の代わりにサーバ２０１を備え、送信機６の代わりに送受信機２０６を備える。さらに、本実施形態の墓参システムは、墓２、３、４、５の代わりに墓２０２、２０３、２０４、２０５を備える。
【００８４】
サーバ２０１は、墓を示す信号が入力されると、保存しているコンテンツデータのうち、入力された信号が示す墓に対応する識別子が付与されたコンテンツデータを出力する。例えば、サーバ２０１は、墓２０２を示す信号が入力されると、保存しているコンテンツデータのうち、墓２０２に対応する識別子が付与されたコンテンツデータを出力する。
【００８５】
送受信機２０６は、一般的な無線通信機能を有する。通信機２０６は、一般的な無線通信機能によって、無線信号を受信し、受信した無線信号から墓を示す信号を抽出し、出力する。
【００８６】
（２）本発明の第３の実施の形態における墓参システムに備わる墓の構成と機能
本実施形態の墓参システムに備わる墓２０２、２０３、２０４、２０５は、図７に示されるように、無線機能部１２の代わりに無線機能部２１２を、センサ１３の代わりにセンサ２１３を、モニタ画面１４の代わりにモニタ画面２１４を備える。
【００８７】
無線機能部２１２は、起動ＯＮを指示する信号が入力されると、自身に備わる無線通信機能を起動し、自身が備わる墓を示す信号を無線信号として出力する。無線機能部２１２は、モニタ画面１４から停止を指示する信号が入力されると、自身に備わる無線通信機能を停止する。
【００８８】
センサ２１３は、墓参者が墓を訪れたことを感知すると、起動ＯＮを指示する信号を出力する。
【００８９】
モニタ画面２１４は、モニタＯＮを指示する信号が入力されると、自身に備わる表示手段、すなわちモニタを起動する。モニタ画面２１４は、所定の回数、記憶するコンテンツデータをモニタに表示した後、停止を指示する信号を無線機能部２１２に出力し、モニタを停止する。所定の回数は、本実施形態の墓の管理者によって設定される。
【００９０】
なお、上述した以外の構成や機能は、第１の実施の形態のおける墓参システムと同じであるので、同一の符号を付して説明を省略する。
【００９１】
［動作の説明］
図８は、本発明の第３の実施の形態における墓参システムの動作を説明する為の図である。ここでは、墓参先の墓が墓２０２であった場合を例に説明を進める。
【００９２】
まず、本実施形態の墓２０２のセンサ２１３は、センサ３と同様、図８に示されるように、墓参者が墓２０２を訪れたことを感知すると、モニタＯＮを指示する信号をモニタ画面２１４に出力する（Ｓ８）。
【００９３】
モニタ画面２１４は、モニタＯＮを指示する信号が入力されると、自身に備わる表示手段、すなわちモニタを起動する（Ｓ３０）。
【００９４】
次に、本実施形態の墓２０２のセンサ２１３は、上述のＳ８の後、起動ＯＮを指示する信号を無線機能部２１２に出力する（Ｓ３１）。
【００９５】
本実施形態の墓２０２の無線機能部２１２は、起動ＯＮを指示する信号がセンサ２１３から入力されると、自身に備わる無線通信機能を起動し、自身が備わる墓２０２を示す信号を無線信号として出力する（Ｓ３２）。
【００９６】
次に、本実施形態の墓２０２の無線機能部２１２は、上述のＳ１〜Ｓ４の動作を実施し、自分宛のコンテンツデータが入力されるのを待つ（Ｓ３３）。
【００９７】
次に、図示していないが、サーバ２０１に接続されている送受信機２０６は、自身に備わる一般的な無線通信機能によって、無線信号を受信し、受信した無線信号から墓２０２を示す信号を抽出し、サーバ２０１に出力する。
【００９８】
次に、サーバ２０１は、墓２０２を示す信号が入力されると、墓２０２を示す識別子が付与されたコンテンツデータを墓２０２に出力する（Ｓ３４）。
【００９９】
次に、本実施形態の墓２０２の無線機能部２１２は、無線機能部１２と同様、上述のＳ１〜Ｓ４の動作を実施し、自分宛のコンテンツデータが入力されたと認識すると、そのコンテンツデータをモニタ画面２１４に出力する（Ｓ５）。
【０１００】
次に、本実施形態の墓２０２のモニタ画面２１４は、入力されたコンテンツデータを記憶する（Ｓ６）。
【０１０１】
次に、本実施形態の墓２０２のモニタ画面２１４は、記憶したコンテンツデータを映像として、自身に備わる表示手段、すなわちモニタに表示する（Ｓ１０）。
【０１０２】
次に、図示していないが、本実施形態の墓２０２のモニタ画面２１４は、所定の回数、記憶するコンテンツデータをモニタに表示した後、停止を指示する信号を無線機能部２１２に出力し、モニタを停止する。
【０１０３】
無線機能部２１２は、モニタ画面１４から停止を指示する信号が入力されると、自身に備わる無線通信機能を停止する。
【０１０４】
［効果の説明］
本発明の第３の実施の形態における墓参システムは、墓参者が墓を訪れたときだけ墓が起動するので、本発明の第１の実施の形態における墓参システムよりも墓の消費電力を低減することができる。
【０１０５】
［第４の実施の形態］
次に、本発明の第４の実施の形態について説明する。
【０１０６】
［構成の説明］
図９は、本発明の第４の実施の形態における墓参システムの構成例を示す図である。
【０１０７】
第４の実施の形態における墓参システムは、図９に示されるように、電子装置３００と神仏具４００を備える。神仏具４００は、電子装置３００と接続される。神仏具４００は、図９に示されるように、電子装置３００と無線回線で接続されてもよい。なお、電子装置３００は、神仏具４００を管理する団体・宗教法人によって管理され、頑丈な建物内に設置される。
【０１０８】
電子装置３００は、神仏具に対応する識別子が付与されたコンテンツデータを少なくとも１つ記憶する。神仏具に対応する識別子が付与されたコンテンツデータは、本実施形態の墓参システムの設置者によって、電子装置３００に設定される。コンテンツデータは、故人、若しくはペットの情報が含まれていてもよい。
【０１０９】
電子装置３００は、神仏具を示す信号が入力されると、その信号が示す神仏具に対応する識別子が付与されたコンテンツデータを出力する。
【０１１０】
神仏４００は、コンテンツデータが入力されると、コンテンツデータを、映像として、自身に備わる表示手段に表示する。
【０１１１】
[動作の説明]
まず、電子装置３００は、神仏具に対応する識別子が付与されたコンテンツデータを少なくとも１つ記憶する。
【０１１２】
電子装置３００は、神仏具を示す信号が入力されると、その信号が示す神仏具に対応する識別子が付与されたコンテンツデータを神仏具４００に出力する。
【０１１３】
神仏具４００は、コンテンツデータが電子装置３００から入力されると、そのコンテンツデータを映像として、自身に備わる表示手段に表示する。
【０１１４】
［効果の説明］
本実施形態によれば、墓参システムは、システムを構成する墓が自然災害等により大きな被害を蒙っても、故人やペットの情報を失わず、墓参者が故人やペットをいつまでも偲ぶことができる。
【０１１５】
その理由として、墓参システムは、故人やペットの情報を野外の墓ではなく、頑丈な建物内に設置された電子装置に保存でき、墓参者が墓参するときに電子装置が、故人やペットの情報を墓に送信し、その情報を墓が受信して表示手段に表示するからである。
【０１１６】
なお、上述した実施の形態は、その形態に限定されるものではなく、実施段階ではその要旨を逸脱しない範囲で種々変更可能である。
【０１１７】
さらに、上記の各実施形態の一部又は全部は、以下の付記のようにも記載されうるが、以下には限られない。
（付記１）
神仏具に対応する識別子が付与されたコンテンツデータを少なくとも１つ記憶し、神仏具を示す信号が入力されると、前記信号が示す前記神仏具に対応する識別子が付与された前記コンテンツデータを出力する、
ことを特徴とする電子装置。
（付記２）
コンテンツデータが入力されると、前記コンテンツデータを、映像として、自身に備わる表示手段に表示する、
ことを特徴とする神仏具。
（付記３）
前記コンテンツデータに、自身に対応する識別子が付与されている場合に、前記コンテンツデータを、映像として、自身に備わる表示手段に表示する、
ことを特徴とする付記２に記載の神仏具。
（付記４）
墓参者が自身に訪れたことを感知するセンサを備え、
前記墓参者が自身に訪れたことを前記センサが感知すると、前記表示手段を起動する、
ことを特徴とする付記２乃至３のいずれか１項に記載の神仏具。
（付記５）
通信手段を備え、
前記墓参者が自身に訪れたことを前記センサが感知した場合に前記通信手段を起動し、前記通信手段を介して自身を示す信号を出力する、
ことを特徴とする付記４に記載の神仏具。
（付記６）
太陽光パネル、若しくは風力発電機を備え、
前記太陽光パネル、若しくは風力発電機で発電した電気で動作する、
ことを特徴とする付記２乃至５のいずれか１項に記載の神仏具。
（付記７）
所定レベル以上の前記無線信号を一定時間、受信しないときは、自身に備わる記憶媒体の前記コンテンツデータを、映像として、自身に備わる表示手段に表示する、
ことを特徴とする付記２乃至６のいずれか１項に記載の神仏具。
（付記８）
前記神仏具は、墓、仏壇、供養塔、卒塔婆のいずれかである、
ことを特徴とする付記２乃至７のいずれか１項に記載の神仏具。
（付記９）
神仏具と電子装置が接続された墓参システムであって、
前記電子装置は、付記１に記載の電子装置であり、
前記神仏具は、付記２乃至８のいずれか１項に記載の神仏具である、
ことを特徴とする墓参システム。
（付記１０）
神仏具に対応する識別子が付与されたコンテンツデータを少なくとも１つ記憶し、神仏具を示す信号が入力されると、前記信号が示す前記神仏具に対応する識別子が付与された前記コンテンツデータを出力するステップと、
前記コンテンツデータが入力されると、前記コンテンツデータを、映像として、自身に備わる表示手段に表示するステップと、を備える、
ことを特徴とする映像表示方法。
（付記１１）
前記センサは、前記墓参者が自身を訪れた際にあげる線香の熱、若しくは煙を感知するセンサである、
ことを特徴とする付記４乃至８のいずれか１項に記載の神仏具。
（付記１２）
前記コンテンツデータは、故人、若しくはペットの情報を含む、
ことを特徴とする付記１に記載の電子装置。
（付記１３）
前記コンテンツデータは、故人、若しくはペットの情報を含む、
ことを特徴とする付記１０に記載の映像表示方法。
【符号の説明】
【０１１８】
１    サーバ
２    墓
３    墓
４    墓
５    墓
６    送信機
１１    墓石
１２    無線機能部
１３    センサ
１４    モニタ画面
１５    太陽光パネル
１６    蓄電池
１１２    無線機能部
１１７    記憶媒体再生機能部
１００    墓
２０１    サーバ
２０２    墓
２０３    墓
２０４    墓
２０５    墓
２１２    無線機能部
２１３    センサ
２１４    モニタ画面
３００    電子装置
４００    神仏具
【図１】
2014231714.tif 000003
【図２】
2014231714.tif 000004
【図３】
2014231714.tif 000005
【図４】
2014231714.tif 000006
【図５】
2014231714.tif 000007
【図６】
2014231714.tif 000008
【図７】
2014231714.tif 000009
【図８】
2014231714.tif 000010
【図９】
2014231714.tif 000011